(57)【要約】      （修正有）【課題】  主観的な検索キーに応じた適切な飲食店の情報を提供すること。【解決手段】  飲食店情報提供サーバが、ネットワークを介して接続されたクライアントより、飲食店に係る擬似主観情報を識別する擬似主観情報識別子を含む、飲食店に係る情報の検索要求を受信する検索要求受信段階（Ｓ１０）と、検索要求に含まれる擬似主観情報識別子に応じて、当情報提供サーバの記録手段に記録されている飲食店に係る客観情報を用い、対象となる各飲食店について擬似主観情報に係る数値を計算する数値計算段階（Ｓ１１）と、数値計算段階において計算された各飲食店の擬似主観情報に係る数値に基づいて、飲食店に係る情報のランキング付けを行うランキング付け段階（Ｓ１３）と、ランキング付け段階においてランキング付けされた飲食店に係る情報を、要求元のクライアントに送信する検索結果送信段階（Ｓ１４）とを有することによって上記課題を解決する。【選択図】  図７
2006285508.tif 000002
【特許請求の範囲】
【請求項１】
飲食店に係る情報を提供する情報提供サーバにおける情報提供方法であって、
該情報提供サーバが、
ネットワークを介して接続されたクライアントより、飲食店に係る擬似主観情報を識別する擬似主観情報識別子を含む、飲食店に係る情報の検索要求を受信する検索要求受信段階と、
該検索要求に含まれる前記擬似主観情報識別子に応じて、当該情報提供サーバの記録手段に記録されている飲食店に係る客観情報を用い、対象となる各飲食店について擬似主観情報に係る数値を計算する数値計算段階と、
該数値計算段階において計算された各飲食店の擬似主観情報に係る数値に基づいて、飲食店に係る情報のランキング付けを行うランキング付け段階と、
該ランキング付け段階においてランキング付けされた飲食店に係る情報を、要求元のクライアントに送信する検索結果送信段階と、
を有することを特徴とする情報提供方法。
【請求項２】
前記数値計算段階では、前記情報提供サーバが、検索要求に含まれる前記擬似主観情報識別子に応じて、当該情報提供サーバの記録手段に記録されている重み情報と客観情報とを用い、対象となる各飲食店について、擬似主観情報に係る数値を計算することを特徴とする請求項１記載の情報提供方法。
【請求項３】
前記検索要求に含まれる前記擬似主観情報識別子に応じて、前記客観情報に係る条件が存在する場合は、前記情報提供サーバが、該条件に基づいて、飲食店に係る情報を選択する情報選択段階を更に有することを特徴とする請求項１又は２記載の情報提供方法。
【請求項４】
前記ランキング付け段階では、前記情報提供サーバが、前記情報選択段階において選択した飲食店に係る情報を、前記数値計算段階において計算された各飲食店の擬似主観情報に係る数値に基づいてランキング付けすることを特徴とする請求項３記載の情報提供方法。
【請求項５】
請求項１乃至４何れか一項記載の情報提供方法をコンピュータに実行させることを特徴とする情報提供プログラム。
【請求項６】
飲食店に係る情報を提供する情報提供サーバであって、
ネットワークを介して接続されたクライアントより、飲食店に係る擬似主観情報を識別する擬似主観情報識別子を含む、飲食店に係る情報の検索要求を受信する検索要求受信手段と、
該検索要求に含まれる前記擬似主観情報識別子に応じて、当該情報提供サーバの記録手段に記録されている飲食店に係る客観情報を用い、対象となる各飲食店について擬似主観情報に係る数値を計算する数値計算手段と、
該数値計算手段において計算された各飲食店の擬似主観情報に係る数値に基づいて、飲食店に係る情報のランキング付けを行うランキング付け手段と、
該ランキング付け手段においてランキング付けされた飲食店に係る情報を、要求元のクライアントに送信する検索結果送信手段と、
を有することを特徴とする情報提供サーバ。
【請求項７】
情報を変換する情報変換装置における情報変換方法であって、
該情報変換装置が、
飲食店に係る擬似主観情報を識別する擬似主観情報識別子を含む、飲食店に係る情報の提供要求を受け取る情報提供要求受取段階と、
該提供要求に含まれる前記擬似主観情報識別子に応じて、当該情報提供装置の記録手段に記録されている飲食店に係る客観情報を用い、対象となる各飲食店について擬似主観情報に係る数値を計算する数値計算段階と、
該数値計算段階において計算された各飲食店の擬似主観情報に係る数値に基づいて、飲食店に係る情報のランキング付けを行うランキング付け段階と、
該ランキング付け段階においてランキング付けされた飲食店に係る情報を、提供する飲食店情報提供段階と、
を有することを特徴とする情報変換方法。
【発明の詳細な説明】
【技術分野】
【０００１】
本発明は、情報提供方法、情報提供プログラム、情報提供サーバ及び情報変換方法に関する。
【背景技術】
【０００２】
近年、飲食店の情報等をユーザに提供するＷｅｂサイト等が増えている（例えば、非特許文献１参照。）。しかしながら、このようなＷｅｂサイトでは、ユーザは、飲食店の場所や、飲食店のジャンル（例えば、和食や、イタリア料理等）、予算等を検索キーとした、飲食店の検索しか行えない問題があった。これは、Ｗｅｂサイトを提供するサーバ等において、飲食店の場所や、飲食店のジャンル、飲食店における料理の金額等、飲食店の客観的な情報（客観情報）しか、一般的には保持、管理されていないためである。何故なら、このような客観情報は、例えば飲食店の店主等にＦＡＸを送り、得た回答をＷｅｂサイトの管理者がサーバに格納したり、飲食店に設置されてある端末上の画面で入力してもらい、サーバに格納したりすることで比較的簡単に、統一された的確な情報を収集、管理することができるためである。
【０００３】
一方、取材者の判断による、数値化できない文字等による飲食店の情報（主観情報）は、全国全ての情報提供対象である飲食店に取材者を派遣し、該主観情報を収集し、サーバにおいて保持、管理することは費用や、労力の点において困難であった。また、仮に該主観情報を収集し、サーバにおいて、保持したとしても、飲食店の提供するサービス等が変化するのに伴い、該主観情報を適切に修正、更新することは困難であり、的確な情報をユーザに提供することができない問題があった。
【０００４】
また、実際に飲食店に行って料理を食べたお客が、該お店に点数をつけたり、コメントをつけたりして、該情報（擬似客観情報）をサーバが収集、管理し、ユーザに提供しているＷｅｂサイトもある。
【非特許文献１】"ぐるなび−レストラン・飲食店検索！"、[online]、[平成１７年３月２２日検索]、インターネット＜ＵＲＬ：http://www.gnavi.co.jp/＞
【発明の開示】
【発明が解決しようとする課題】
【０００５】
しかしながら、ユーザは、飲食店の場所や、飲食店のジャンル、予算等の客観情報以外の、主観的なデータで飲食店を検索したい場合がある。例えば、「夜景がきれい」であるとか、「“ほっ”としたいときに、」等といった主観的な情報（擬似主観情報）をキーとして飲食店を検索したい場合がある。
【０００６】
本発明は、上記の点に鑑みなされたもので、情報の収集、保守の労力がかからず、且つユーザに対して主観的な検索キーに応じた適切な飲食店の情報を提供することを目的とする。
【課題を解決するための手段】
【０００７】
そこで、上記課題を解決するため、本発明は、飲食店に係る情報を提供する情報提供サーバにおける情報提供方法であって、該情報提供サーバが、ネットワークを介して接続されたクライアントより、飲食店に係る擬似主観情報を識別する擬似主観情報識別子を含む、飲食店に係る情報の検索要求を受信する検索要求受信段階と、該検索要求に含まれる前記擬似主観情報識別子に応じて、当該情報提供サーバの記録手段に記録されている飲食店に係る客観情報を用い、対象となる各飲食店について擬似主観情報に係る数値を計算する数値計算段階と、該数値計算段階において計算された各飲食店の擬似主観情報に係る数値に基づいて、飲食店に係る情報のランキング付けを行うランキング付け段階と、該ランキング付け段階においてランキング付けされた飲食店に係る情報を、要求元のクライアントに送信する検索結果送信段階と、を有することを特徴とする。
【０００８】
本発明によれば、飲食店に係る情報を提供する情報提供サーバにおける情報提供方法であって、該情報提供サーバが、ネットワークを介して接続されたクライアントより、飲食店に係る擬似主観情報を識別する擬似主観情報識別子を含む、飲食店に係る情報の検索要求を受信する検索要求受信段階と、該検索要求に含まれる前記擬似主観情報識別子に応じて、当該情報提供サーバの記録手段に記録されている飲食店に係る客観情報を用い、対象となる各飲食店について擬似主観情報に係る数値を計算する数値計算段階と、該数値計算段階において計算された各飲食店の擬似主観情報に係る数値に基づいて、飲食店に係る情報のランキング付けを行うランキング付け段階と、該ランキング付け段階においてランキング付けされた飲食店に係る情報を、要求元のクライアントに送信する検索結果送信段階と、を有することにより、情報の収集、保守の労力がかからず、且つユーザに対して主観的な検索キーに応じた適切な飲食店の情報を提供することができる。
【０００９】
なお、情報提供サーバは、例えば後述するサーバ１に対応する。また、クライアントは、例えば後述するクライアント２に対応する。また、擬似主観情報は、例えば客観情報を組み合わせて主観的なカテゴリで割り当てた情報であって、飲食店を選ぶときに、該選ぶ人が拠り所とする情報である。また、客観情報は、例えば飲食店の店主等に対するアンケート結果であって、該アンケートの項目も客観的に記入（又は判断）できるものである。また、記録手段は、例えば後述するメモリ装置１５等に対応する。また、飲食店は、和食や、洋食等料理を提供するお店や、居酒屋、甘味処、バー等を含む。
【００１０】
また、上記課題を解決するための手段として、情報提供プログラム、情報提供サーバ、情報変換方法としてもよい。なお、特許請求の範囲に記載の情報変換装置は、例えば後述するサーバ１又は情報提供装置３等に対応する。
【発明の効果】
【００１１】
本発明によれば、情報の収集、保守の労力がかからず、且つユーザに対して主観的な検索キーに応じた適切な飲食店の情報を提供することができる。
【発明を実施するための最良の形態】
【００１２】
以下、本発明の実施の形態について図面に基づいて説明する。
【実施例１】
【００１３】
図１は、情報提供システムの一例のシステム構成図である。図１に示されるように、情報提供システムは、ネットワーク５を介して、サーバ１と、少なくとも１つ以上のクライアント２と、が接続されている。
【００１４】
クライアント２は、ユーザからの要求に応じて、擬似主観情報と対応付けられた擬似主観情報識別子（例えば、擬似主観情報ＩＤ等）を含む、飲食店に係る情報（例えば、飲食店の名称や、飲食店の所在地等の情報）の検索要求をサーバ１に送信する。サーバ１は、検索要求に含まれる擬似主観情報識別子に応じて、自身が保持、管理している重み情報と客観情報（より具体的には、後述する図４に示される０又は１の数値で保持、管理している客観情報）とを用い、対象となる各飲食店について、擬似主観情報識別子に係る数値の計算を行う。また、サーバ１は、検索要求に含まれる擬似主観情報識別子に応じて、客観情報に係る条件が存在する場合は、該条件に基づいて、飲食店に係る情報を選択する。つまり、サーバ１は、該条件にあう飲食店に係る情報だけを処理の対象とする。
【００１５】
サーバ１は、該選択した飲食店に係る情報（又は飲食店）を、前記計算した各飲食店の擬似主観情報に係る数値に基づいてランキング付けする。サーバ１は、例えば該数値の値の大きい順にベスト１０入りした飲食店の情報を検索結果としてクライアント２に送信する。なお、上位何件を検索結果としてクライアント２に送信するかは、クライアント２からの要求に応じてもよいし、サーバ１に予め定められた数に応じてもよい。
【００１６】
以下、サーバ１の一例のハードウェア構成を図２に示す。図２は、サーバの一例のハードウェア構成図である。図２に示されるように、サーバ１は、入力装置１１と、表示装置１２と、ドライブ装置１３と、メモリ装置１５と、ＣＰＵ１６と、インターフェース装置１７と、を含む。
【００１７】
入力装置１１は、サーバ１の利用者が操作するキーボード及びマウス等で構成され、サーバ１に各種操作情報等を入力するのに用いられる。表示装置１２は、サーバ１の利用者が利用するディスプレイ等で構成され、各種情報等を表示するのに用いられる。インターフェース装置１７は、サーバ１をネットワーク５等に接続するインターフェースである。
【００１８】
サーバ１のプログラムは、例えば、出荷時からメモリ装置１５等にインストールされているか、出荷後、ＣＤ−ＲＯＭ等の記録媒体１４によってサーバ１に提供されるか、ネットワーク等を通じてダウンロードされる。記録媒体１４は、ドライブ装置１３にセットされ、プログラムが記録媒体１４からドライブ装置１３を介してメモリ装置１５等にインストールされる。
【００１９】
ＣＰＵ１６は、プログラムに従って、適宜メモリ装置１５等を利用しつつ、例えば後述する機能（の一部）を提供したり、後述するフローチャートで示されるような処理等を実行したりする。メモリ装置１５は、例えば客観情報や、重み情報等を格納する。なお、メモリ装置１５は、客観情報以外に、上述した主観情報（例えば、料理のジャンルや、飲食店の存在する地域等を絞った場合の飲食店の主観情報）、客観情報、擬似客観情報等を格納するようにしてもよい。
【００２０】
なお、クライアント２もサーバ１のハードウェア構成と同様のハードウェア構成を有し、クライアント２のＣＰＵは、クライアント２のプログラムに従って、適宜クライアント２のメモリ装置等を利用しつつ、例えば後述する処理等を実行する。
【００２１】
以下、サーバ１の一例の機能構成を図３に示す。図３は、サーバの一例の機能構成図である。図３に示されるように、サーバ１は、検索要求受信部２１と、数値計算部２２と、情報選択部２３と、ランキング付け部２４と、検索結果送信部２５と、客観情報管理部２６と、重み情報管理部２７と、客観情報格納部２８と、重み情報格納部２９と、を含む。
【００２２】
検索要求受信部２１は、クライアント２から、擬似主観情報と対応付けられた擬似主観情報識別子を含む、飲食店に係る情報の検索要求を受信する。数値計算部２２は、検索要求に含まれる擬似主観情報識別子に応じて、後述する図５に示される重み情報と後述する図４に示される０又は１の数値で保持、管理している客観情報とを用い、擬似主観情報に係る数値（ランキング付けの際に用いられる数値）の計算を行う。
【００２３】
情報選択部２３は、擬似主観情報識別子に応じて、客観情報に係る条件、例えば擬似主観情報識別子によって識別される擬似主観情報が「たまにはリッチ＆ゴージャスに」であった場合は「平均予算夜が１２０００円以上」等の条件、が存在する場合は、該条件に基づいて、飲食店に係る情報を選択する。なお、このような条件は、擬似主観情報識別子に対応付けられて予めメモリ装置１５等に格納されているものとする。
【００２４】
ランキング付け部２４は、情報選択部２３が選択した飲食店に係る情報を、数値計算部２２が計算した結果（数値）に基づいてランキング付けする。検索結果送信部２５は、ランキング付け部２４が行ったランキング付けの結果、例えばベスト１０入りした飲食店の情報を上位１０位の飲食店としてランキングと共に検索結果としてクライアント２に送信する。
【００２５】
客観情報管理部２６は、後述する図４に示されるような客観情報を管理する。例えば、客観情報管理部２６は、要求に応じて客観情報を客観情報格納部２８等に格納したり、要求に応じて客観情報格納部２８等に格納されている客観情報を更新又は削除したり、要求に応じて客観情報を客観情報格納部２８等から取得し、要求元に提供したりする。
【００２６】
重み情報管理部２７は、後述する図５に示されるような重み情報を管理する。例えば、重み情報管理部２７は、要求に応じて重み情報を重み情報格納部２９等に格納したり、要求に応じて重み情報格納部２９等に格納されている重み情報を更新又は削除したり、要求に応じて重み情報を重み情報格納部２９等から取得し、要求元に提供したりする。
【００２７】
客観情報格納部２８は、図２のメモリ装置１５等で構成され、後述する図４に示されるような客観情報を格納する。重み情報格納部２９は、図２のメモリ装置１５等で構成され、後述する図５に示されるような重み情報を格納する。
【００２８】
なお、サーバ１に、主観情報（例えば、料理のジャンルや、飲食店の存在する地域等を絞った場合の飲食店の主観情報）、客観情報、擬似客観情報等を格納するよう構成した場合、図３に示したような機能以外に、例えば、主観情報管理部、客観情報管理部、擬似客観情報管理部、主観情報格納部、客観情報格納部、擬似客観情報格納部等の機能をサーバ１に実装するようにしてもよい。
【００２９】
以下、客観情報の一例を図４に示す。図４は、客観情報の一例を示す図である。図４に示されるように、客観情報は、データ構造として、例えば、「料理別分類」や、「名称（飲食店の名称）」、「所在地・開催地」、「平均昼予算」、「平均夜予算」等の項目や、値として１又は０が格納される、「高階層（２４階以上）にお店がある」や、「定員の元気の良さと声の大きさがウリ」等の項目を含む。
【００３０】
なお、客観情報は、図４に示される項目以外の、値として１又は０が格納される項目として、例えば、「夜景や景勝地が見わたせる」、「大通りに面していない（隠れ家的である）」、「ベイエリアにある」、「連日予約を断っている」、「行列ができる」、「ＴＶ／雑誌で話題」、「映画／小説／ドラマに登場したことがある」、「映画に登場したことがある」、「小説に登場したことがある」、「ドラマに登場したことがある」、「テーマパークレストラン」、「ご飯／パンお替り自由」、「ご飯がお替り自由」、「パンがお替り自由」、「クーポンあり」、「チャージ／サービス料あり」、「飲み／食べ放題コースがある」、「飲み放題がある」、「食べ放題がある」、「バイキング」、「ランチあり」、「デザート付」、「ドリンク付」、「土日祝あり」、「１４時以降もあり」、「特典あり」、「女性（特典）」、「記念日（特典）」、「誕生日（特典）」、「お水は有料」、「ヘルシーメニュー（玄米など）あり」、「カロリー表示がしてある」、「有機農法あるいは無農薬野菜を使っている」、「メニュー以外も相談に応じる」、「挑戦メニューあり」、「ご当地名物メニューがある」、「器にこだわりあり」、「外国産ビールが常時5種類以上ある」、「地ビールあり」、「ワインリストがある」、「ソムリエがいる」、「地酒が常時１０種類以上ある」、「日本酒が枡で提供される」、「外国産のスコッチ・バーボンが１０種類以上ある」、「焼酎が常時３０種類以上ある」、「オリジナルカクテルがある」、「ボトルキープできる」、「発泡酒あり」、「全席禁煙」、「一部禁煙」、「個室がある」、「隣の席との間にしきりがある」、「ふたりきりになれる」、「やわらかいソファーがある」、「座敷がある」、「掘りごたつのテーブル」、「靴を脱ぐ席がある」、「オープンエアの席がある」、「照明」、「間接」、「ろうそく」、「スポット」、「蛍光灯」、「ステージあり」、「こども入店不可」、「お子様メニューあり」、「オープンキッチン」、「有名デザイナーが設計」、「音楽を流している」、「ジャズ」、「民俗音楽」、「生演奏」、「カラオケあり」、「ＴＶ・ラジオあり」、「出前／ケータリング／デリバリー／テイクアウト可」、「出前可」、「ケータリング可」、「デリバリー可」、「テイクアウト可」、「貸し切りができる」、「ウエディングパーティができる」、「料理関係の著作があるオーナー／料理長がいる」等を含む。
【００３１】
上述したように、このような客観情報は、例えば飲食店の店主等にＦＡＸを送り、得た回答をサーバ１の管理者がサーバ１に格納したり、飲食店に設置されてある端末（又はクライアント２）上の画面で入力してもらい、サーバ１に格納したりすることで比較的簡単に、統一された的確な情報を収集、管理することができる。
【００３２】
以下、重み情報の一例を図５に示す。図５は、重み情報の一例を示す図である。図５に示されるように、重み情報は、データ構造として、例えば、擬似情報識別子と、複数の客観情報（例えば、「高層階（２４階以上）にお店がある」、「夜景や景勝地が見わたせる」、「大通りに面していない」、・・・、「店員の元気の良さと声の大きさがウリ」等の情報）と、を項目として含む。なお、各客観情報の項目には、重み付けの値（図５の例では、０や、２、５、１０、−５等）が格納されている。
【００３３】
以下、クライアント２における検索画面３０の一例を図６に示す。図６は、クライアントにおける検索画面の一例を示す図である。ユーザは、図６に示されるような検索画面３０において、擬似主観情報（例えば、図６の例では「内装やショーで楽しんじゃう」）を選択し、検索ボタン３１を押下する。クライアント２は、ユーザにより検索ボタン３１が押下された旨の情報を受け取ると、ユーザによって選択された擬似主観情報を識別する（又は擬似主観情報と対応付けられた）擬似主観情報識別子を含む検索要求を作成し、サーバ１に送信する。なお、上述したように、クライアント２は、飲食店の検索条件として、日時に関する情報や、場所に関する情報等を含めて検索要求を作成し、サーバ１に送信するようにしてもよい。
【００３４】
また、擬似主観情報としては、図６に示される以外に、例えば「今日はとことん飲もう！」、「終電なんて関係なし、朝まで飲もう」、「夜も更けて、さぁ大人の時間へ」、「ひとりご飯に最適」、「自腹店」、「ゴチ店」、「大切な人を歓待したい」、「おめでとう！いつまでもお幸せに」、「今日は二人だけで祝う大切な記念日」、「ひとりで飲みたい夜は」、「忘年会・新年会はここに決まり！」、「合コンは任せて」、「お酒が苦手な方へ」、「駅近、雨が降っても大丈夫な店」、「ワイン好きにはたまらない」、「日本酒好きにはたまらない」、「ビール好きにはたまらない」「カクテル好きにはたまらない」等がある。
【００３５】
以下、サーバ１における検索処理の一例を図７に示す。図７は、サーバにおける検索処理の一例を示すフローチャートである。サーバ１は、例えば起動後、ステップＳ１０に進み、クライアント２より検索要求を受信したか否かを判定する。
【００３６】
サーバ１は、クライアント２より検索要求を受信したと判定すると（ステップＳ１０においてＹＥＳ）、ステップＳ１１に進み、クライアント２より検索要求を受信していないと判定すると（ステップＳ１０においてＮＯ）、ステップＳ１０の処理を繰り返す。
【００３７】
ステップＳ１１では、サーバ１が、クライアント２より受信した検索要求に含まれる擬似主観情報識別子に応じて、図５に示されるような重み情報格納部２９に格納されている重み情報と、図４に示されるような、０又は１の数値で客観情報格納部２８等に格納されている客観情報と、を用いて、擬似主観情報に係る数値を計算する。
【００３８】
ステップＳ１１に続いてステップＳ１２に進み、サーバ１は、クライアント２より受信した検索要求に含まれる擬似主観情報識別子に応じて、客観情報に係る条件、例えば擬似主観情報識別子によって識別される擬似主観情報が「たまにはリッチ＆ゴージャスに」であった場合は平均予算夜が１２０００円以上等の条件、が存在する場合は、該条件に基づいて、飲食店に係る情報を選択する。
【００３９】
ステップＳ１２に続いてステップＳ１３に進み、サーバ１は、ステップＳ１２において選択した飲食店に係る情報を、ステップＳ１１において計算した数値に基づいて、ランキング付けする。
【００４０】
ステップＳ１３に続いてステップＳ１４に進み、サーバ１は、ステップＳ１３において行ったランキング付けの結果、例えばベスト１０入りした飲食店の情報を上位１０位の飲食店としてランキングと共に検索結果としてクライアント２に送信する。
【００４１】
ステップＳ１４に続いてステップＳ１５に進み、サーバ１は、検索処理を終了するか否かを判定する。サーバ１は、検索処理を終了すると判定すると（ステップＳ１５においてＹＥＳ）、該処理を終了し、検索処理を終了しないと判定すると（ステップＳ１５においてＮＯ）、ステップＳ１０の処理に戻る。
【実施例２】
【００４２】
上述した実施例１では、サーバ・クライアント方式における情報提供方法の例を示したが、例えば情報提供装置３が単体で上述した実施例１に示したような処理（サーバ１における処理）を行うようにしてもよい。なお、以下では情報提供装置３は、実施例１に示したサーバ１のハードウェア構成と同様のハードウェア構成を有しているものとして説明を行う。つまり、情報提供装置３のＣＰＵは、情報提供装置３のプログラムに従って、適宜情報提供装置３のメモリ装置等を利用しつつ、処理等を実行する。
【００４３】
以下、情報提供装置３の機能構成の一例を図８に示す。図８は、情報提供装置の一例の機能構成図である。図８に示されるように、情報提供装置３は、検索要求受取部４１と、数値計算部４２と、情報選択部４３と、ランキング付け部４４と、検索結果提供部４５と、客観情報管理部４６と、重み情報管理部４７と、客観情報格納部４８と、重み情報格納部４９と、を含む。
【００４４】
検索要求受取部４１は、ユーザから、例えば情報提供装置３の入力装置等を介して擬似主観情報と対応付けられた擬似主観情報識別子を含む、飲食店に係る情報の検索要求を受け取る。数値計算部４２は、検索要求に含まれる擬似主観情報識別子に応じて、実施例１の図５に示したような重み情報と実施例１の図４に示したような０又は１の数値で保持、管理している客観情報とを用い、擬似主観情報に係る数値（ランキング付けの際に用いられる数値）の計算を行う。
【００４５】
情報選択部４３は、擬似主観情報識別子に応じて、客観情報に係る条件、例えば擬似主観情報識別子によって識別される擬似主観情報が「たまにはリッチ＆ゴージャスに」であった場合は「平均予算夜が１２０００円以上」等の条件、が存在する場合は、該条件に基づいて、飲食店に係る情報を選択する。なお、このような条件は、擬似主観情報識別子に対応付けられて予め情報提供装置のメモリ装置等に格納されているものとする。
【００４６】
ランキング付け部４４は、情報選択部４３が選択した飲食店に係る情報を、数値計算部４２が計算した結果（数値）に基づいてランキング付けする。検索結果提供部４５は、ランキング付け部４４が行ったランキング付けの結果、例えばベスト１０入りした飲食店の情報を上位１０位の飲食店としてランキングと共に検索結果として例えば情報提供装置３の表示装置等に表示し、ユーザに提供する。
【００４７】
客観情報管理部４６は、実施例１の図４に示したような客観情報を管理する。例えば、客観情報管理部４６は、要求に応じて客観情報を客観情報格納部４８等に格納したり、要求に応じて客観情報格納部４８等に格納されている客観情報を更新又は削除したり、要求に応じて客観情報を客観情報格納部４８等から取得し、要求元に提供したりする。
【００４８】
重み情報管理部４７は、実施例１の図５に示したような重み情報を管理する。例えば、重み情報管理部４７は、要求に応じて重み情報を重み情報格納部４９等に格納したり、要求に応じて重み情報格納部４９等に格納されている重み情報を更新又は削除したり、要求に応じて重み情報を重み情報格納部４９等から取得し、要求元に提供したりする。
【００４９】
客観情報格納部４８は、情報提供装置３のメモリ装置等で構成され、実施例１の図４に示したような客観情報を格納する。重み情報格納部４９は、情報提供装置３のメモリ装置等で構成され、実施例１の図５に示したような重み情報を格納する。
【００５０】
なお、サーバ１に、主観情報（例えば、料理のジャンルや、飲食店の存在する地域等を絞った場合の飲食店の主観情報）、客観情報、擬似客観情報等を格納するよう構成した場合、図３に示したような機能以外に、例えば、主観情報管理部、客観情報管理部、擬似客観情報管理部、主観情報格納部、客観情報格納部、擬似客観情報格納部等の機能をサーバ１に実装するようにしてもよい。
【００５１】
実施例２の情報提供装置３における情報提供処理は、実施例１の図７に示したサーバ１における検索処理と要求をクライアント２より受信したり、結果をクライアント２に送信したりする以外は同様であるため説明を省略する。つまり、実施例２の情報提供装置３における情報提供処理では、要求はユーザから情報提供装置３の入力装置等を介して受け取り、結果は情報提供装置３の表示装置等を介してユーザに提示する。
【００５２】
上述したように本発明によれば、情報の収集、保守の労力がかからず、且つユーザに対して主観的な検索キーに応じた適切な飲食店の情報を提供することができる。
【００５３】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００５４】
【図１】情報提供システムの一例のシステム構成図である。
【図２】サーバの一例のハードウェア構成図である。
【図３】サーバの一例の機能構成図である。
【図４】客観情報の一例を示す図である。
【図５】重み情報の一例を示す図である。
【図６】クライアントにおける検索画面の一例を示す図である。
【図７】サーバにおける検索処理の一例を示すフローチャートである。
【図８】情報提供装置の一例の機能構成図である。
【符号の説明】
【００５５】
１    サーバ
２    クライアント
３    情報提供装置
１１  入力装置
１２  表示装置
１３  ドライブ装置
１４  記録媒体
１５  メモリ装置
１６  ＣＰＵ
１７  インターフェース装置
２１  検索要求受信部
２２  数値計算部
２３  情報選択部
２４  ランキング付け部
２５  検索結果送信部
２６  客観情報管理部
２７  重み情報管理部
２８  客観情報格納部
２９  重み情報格納部
３０  検索画面
３１  検索ボタン
４１  検索要求受取部
４２  数値計算部
４３  情報選択部
４４  ランキング付け部
４５  検索結果提示部
４６  客観情報管理部
４７  重み情報管理部
４８  客観情報格納部
４９  重み情報格納部
【図１】
2006285508.tif 000003
【図２】
2006285508.tif 000004
【図３】
2006285508.tif 000005
【図４】
2006285508.tif 000006
【図５】
2006285508.tif 000007
【図６】
2006285508.tif 000008
【図７】
2006285508.tif 000009
【図８】
2006285508.tif 000010